(57)【特許請求の範囲】
【請求項１】
燃焼器具に制御信号を送出する制御装置を内蔵して浴室内に設置されるリモコン操作器と、
前記燃焼器具とリモコン操作器とを接続するリモコンコードとを備え、
前記リモコン操作器は、操作面側ケースと取付面側ケースを結合して箱状に形成した浴室用リモコン装置において、
前記リモコン操作器は、取付面側ケースの外側面にリモコンコードを接続する端子台を設け、
この端子台から取付面側ケースを気密および水密状態に貫通させた中継コードによって前記リモコンコードと制御装置を接続することにより、
前記端子台と制御装置との間を気密および水密状態としたことを特徴とする浴室用リモコン装置。
【発明の詳細な説明】
【０００１】
【発明の属する技術分野】
本発明は、燃焼器具に制御信号を送出する浴室用リモコン装置に関する。
【０００２】
【従来の技術】
浴槽や給湯栓へ給湯する風呂釜のような燃焼器具は、図７に示すように、浴室１内に設置した燃焼器具本体２と浴室内の壁面１ａに設置した浴室用モコン操作器３を備える。燃焼器具本体２と浴室用リモコン操作器３は、リモコンコード４によって電気的に接続し、浴室内で浴室用リモコン操作器３を操作することによって給湯や湯温を制御することができるようにしている。この浴室用リモコン操作器３に対するリモコンコード４の導入は、浴室内への露出部分において行われる。
【０００３】
浴室１内は、高湿度で水滴が飛散する環境であることから、燃焼器具本体２およびリモコン操作器３は、内部の制御装置を水滴や結露から保護するために、防滴および防湿構造としている。
【０００４】
図８〜図１０は、リモコン操作器３とリモコンコード４の接続部を防滴および防湿構造に構成した浴室用リモコン装置を示している。図８は、リモコン操作器とリモコンコードの取付け状態を示す浴室用リモコン操作装置の背面図、図９は、図８におけるＢ−Ｂ断面図、図１０は、パッキン付きリモコンコードの斜視図である。
【０００５】
リモコン操作器３は、操作面側ケース２０１と取付面側ケース２０２とを接着またはねじ止めによって結合して箱状に形成している。操作面側ケース２０１の外側面には操作面パネル２０３を設け、内側には、回路基板２０４ａにスイッチ２０４ｂや表示部２０４ｃなどを実装した制御装置２０４を設置して前記取付面側ケース２０２との間に内蔵している。また、回路基板２０４ａは、その背面に、半田付けして取付けた端子台２０５ａ，２０５ｂを備える。
【０００６】
取付面側ケース２０２は、その中央部分にリモコンコード４を防滴および防湿状態に取付けるための凹部２０２ａを備え、この凹部２０２ａには、前記端子台２０５ａ，２０５ｂに対応して該端子台２０５ａ，２０５ｂを露出させて前記リモコンコード４を接続するための配線窓２０２ｂを設けている。
【０００７】
リモコンコード４は、２芯電線コードであって、外被を除去して露出させた芯線４０１ａ，４０１ｂは、防滴および防湿用の環状のゴムパッキン２０６の厚み方向の中央部を外側から内側に向けて密着（気密）状態に貫通させ、その先端に接続用丸形端子４０２ａ，４０２ｂを取付けている。このリモコンコード４は、接続用丸形端子４０２ａ，４０２ｂを配線窓２０２ｂから露出した前記端子台２０５ａ，２０５ｂにビス２０７ａ，２０７ｂによって結合する。
【０００８】
そして、環状のゴムパッキン２０６を配線窓２０２ｂの周囲を囲むように凹部２０２ａに当接し、その背後から蓋２０８を当ててビス２０９ａ〜２０９ｄによって締め付け固定することにより、リモコンコード４を端子台２０５ａ，２０５ｂに接続するための防滴および防湿構造を実現するようにしている。
【０００９】
【発明が解決しようとする課題】
このような浴室用リモコン装置における浴室用リモコン操作器３とリモコンコード４の接続において、ゴムパッキン２０６を取り付けたリモコンコード４を制御装置２０４の端子台２０５ａ，２０５ｂに取り付けるビス止め作業は、設置工事現場で行うことになるために電動工具を使用して行われることが多く、締め付けトルク管理が不適切であると、過大な締め付けトルクが作用して端子台２０５ａ，２０５ｂの半田付けが剥離したり回路基板２０４ｂを破損することがある。また、ビス締め付け固定後においても、その後の作業によってリモコンコード４が引っ張られたときの外力は、芯線４０１ａ，４０１ｂを介して端子台２０５ａ，２０５ｂに作用するために、端子台２０５ａ，２０５ｂの半田付けが剥離したり回路基板２０４ｂを破損して設置不良となることがある。
【００１０】
また、ゴムパッキン２０６にリモコンコード４の芯線４０１ａ，４０１ｂを貫通させる作業は、ゴムパッキン２０６に形成した芯線４０１ａ，４０１ｂよりも小径の穴に該芯線４０１ａ，４０１ｂの先端を挿し込んで気密状態に貫通させる作業となるが、ゴムパッキン２０６が変形し易いために作業性が悪く、また、このゴムパッキン２０６に傷を付けると密着（気密および水密）性能が低下するために、その取り扱いには細心の注意が必要になることから面倒である。
【００１１】
本発明の目的は、リモコン操作器とリモコンコードの接続部の防水および防湿構造を接続作業が簡単で堅固な構造とすることにある。
【００１２】
本発明は、燃焼器具に制御信号を送出する制御装置を内蔵して浴室内に設置されるリモコン操作器と、前記燃焼器具とリモコン操作器とを接続するリモコンコードとを備え、前記リモコン操作器は、操作面側ケースと取付面側ケースを結合して箱状に形成した浴室用リモコン装置において、前記リモコン操作器は、取付面側ケースの外側面にリモコンコードを接続する端子台を設け、この端子台から取付面側ケースを気密および水密状態に貫通させた中継コードによって前記リモコンコードと制御装置を接続することにより、前記端子台と制御装置との間を気密および水密状態としたことを特徴とする浴室用リモコン装置である。
【００１３】
【発明の実施の形態】
本発明の実施の形態を図１〜図６を参照して説明する。図１は、浴室用リモコン装置の正面図、図２はその背面図、図３は図２におけるＡ−Ａ断面図、図４は埋込端子台の斜視図、図５は中継コードとゴムパッキンの斜視図、図６は浴室用リモコン装置の底面図である。
【００１４】
この実施の形態におけるリモコン操作器３は、操作面側ケース１０１と取付面側ケース１０２とを接着またはねじ止めによって結合して箱状に構成している。操作面側ケース１０１の外側面には操作面パネル１０３を設け、内側には、制御装置１０４を設置して前記取付面側ケース１０２との間に内蔵している。
【００１５】
操作面パネル１０３は、燃焼開始と停止を指示する運転スイッチ操作ボタン（運転）１０３ａと湯温設定値を変更するためのダウンスイッチ操作ボタン（▽）１０３ｂとアップスイッチ操作ボタン（△）１０３ｃと湯温設定温度などを表示する表示部１０３ｄを備え、操作面側ケース１０１に貼付けて固定する。この操作面パネル１０３は、ポリエチレンテレフタレートやポリカーボネートを使用するが、耐久性の観点からはポリエチレンテレフタレートの使用が好適である。スイッチ操作ボタン１０３ａ〜１０３ｃの部分は、操作性の観点でエンボス加工を施し、表示部１０３ｄの部分は透明にする。そして、操作面側ケース１０１に対する操作面パネル１０３の貼付けは密着性が重要であるので、両面接着テープあるいは接着剤を使用して行う。
【００１６】
制御装置１０４は、回路基板１０４ａに、図示は省略するが、前記運転スイッチ操作ボタン（運転）１０３ａとダウンスイッチ操作ボタン（▽）１０３ｂとアップスイッチ操作ボタン（△）１０３ｃと表示部１０３ｄに対応した位置に運転スイッチとダウンスイッチとアップスイッチと２桁表示の７セグメントＬＥＤのような表示器を実装する。表示器は、３５〜６０℃の範囲の設定温度を表示し、運転スイッチがオンすると点灯し、再度オンすると消灯する。また、この回路基板１０４ａは、取付面側ケース１０２に設けた端子台取付け部やパッキン嵌着筒部などの凸部を貫通させる逃げ窓１０４ｂを備える。
【００１７】
取付面側ケース１０２は、その中央部分にリモコンコード４を防滴および防湿状態に取付けるための凹部１０２ａを備え、この凹部１０２ａには、前記回路基板１０４ａの逃げ窓１０４ｂに対応する位置の外側から埋込端子台１０５ａ，１０５ｂを加熱圧入して取り付ける端子台取付け部１０２ｂ，１０２ｃと、円柱状のゴムパッキン１０６を嵌着するパッキン嵌着筒部１０２ｄを備え、これらは、前記逃げ窓１０４ｂ内に入り込むように内側に突出する。
【００１８】
埋込端子台１０５ａ（１０５ｂ）は、図４に示すように、内側に雌ねじ１０５ａ1を形成し、外周面にはローレット目加工１０５ａ2を施すことにより加熱圧入により強固に埋設できる円筒状体とした。また、この埋込端子台１０５ａ（１０５ｂ）の材質は、加工性の観点から、真鍮が好適である。
【００１９】
ゴムパッキン１０６は、図５に示すように、大径部と小径部の段付きの円柱状体とし、軸方向に並設した２つの貫通穴に中継コード１０８ａ，１０８ｂを貫通させている。このゴムパッキン１０６の貫通穴の内径寸法は中継コード１０８ａ，１０８ｂの外径寸法より小径にして該中継コード１０８ａ，１０８ｂを圧入して貫通させることにより、このゴムパッキン１０６と中継コード１０８ａ，１０８ｂとの間を密着させて気密および水密状態にする。また、このゴムパッキン１０６は、耐久性に優れたシリコンゴムを使用し、その外径寸法は、前記パッキン嵌着筒部１０２ｄの内径寸法よりも大径に形成することにより、ゴムパッキン１０６をパッキン嵌着筒部１０２ｄに圧入して嵌着面を気密および水密状態にする。
【００２０】
そして、中継コード１０８ａ，１０８ｂの内端は、制御装置１０４の回路基板１０４ａの配線に半田付け接続し、外端は、接続用丸形端子１０９ａ，１０９ｂをビス１１０ａ，１１０ｂによって埋込端子台１０５ａ，１０５ｂに締め付けて固定する。
【００２１】
リモコンコード４は、２芯電線コードであって、外被を除去して露出させた芯線４０１ａ，４０１ｂは、図２および図６に示すように、ゴムパッキン１１１を密着（気密および水密）状態に貫通させ、その先端に接続用丸形端子４０２ａ，４０２ｂを取付けている。そして、このリモコンコード４は、接続用丸形端子４０２ａ，４０２ｂを接続用丸形端子１０９ａ，１０９ｂと共にビス１１０ａ，１１０ｂによって埋込端子台１０５ａ，１０５ｂに締め付け固定する。
【００２２】
そして、取付面側ケース１０２の凹部１０２ａは、その外側から蓋１１２を当ててビス１１３ａ〜１１３ｄによって締め付け固定することにより塞ぐようにする。
【００２３】
なお、操作面側ケース１０１と取付面側ケース１０２および蓋１１２は、ＡＢＳ樹脂を使用する。
【００２４】
このようなリモコン操作器３とリモコンコード４の接続構造によれば、リモコンコード４の芯線４０１ａ，４０１ｂを接続する埋込端子台１０５ａ，１０５ｂは、取付面側ケース１０２の外側面に設けられ、埋込端子台１０５ａ，１０５ｂと回路基板１０４ａは、取付面側ケース１０２に嵌着したゴムパッキン１０６を気密および水密状態に貫通させた中継コードによって接続しているので、ねじ止めのときに作用する力やリモコンコード４からの外力は、堅固な埋込端子台１０５ａ，１０５ｂおよび取付面側ケース１０２に受け止められて回路基板２０４ｂに作用しない。
【００２５】
【発明の効果】
本発明は、取付面側ケースの外側面にリモコンコードを接続する端子台を設け、この端子台から取付面側ケースを気密および水密状態に貫通させた中継コードによって前記リモコンコードと制御装置を接続したことにより、リモコン操作器とリモコンコードの接続部の防水および防湿構造を接続作業が簡単で堅固な構造とすることができる。
【図面の簡単な説明】
【図１】本発明の燃焼器具における浴室用リモコン操作装置の正面図である。
【図２】図１に示す燃焼器具における浴室用リモコン操作装置とリモコンコードの取付け状態を示す該リモコン操作装置の背面図である。
【図３】図２のＡ−Ａ断面図である。
【図４】図３に示した浴室用リモコン操作装置における埋込端子台の斜視図である。
【図５】図３に示した浴室用リモコン操作装置における中継コードとゴムパッキンの斜視図である。
【図６】図１に示した浴室用リモコン操作装置の底面図である。
【図７】浴室に設置した燃焼器具の斜視図である。
【図８】従来の燃焼器具における浴室用リモコン操作器とリモコンコードの取付け状態を示す該リモコン操作器の背面図である。
【図９】図８のＢ−Ｂ断面図である。
【図１０】従来のパッキン付きリモコンコードの斜視図である。
【符号の説明】
４…リモコンコード、１０１…操作面側ケース、１０２…取付面側ケース、１０２ｂ，１０２ｃ…端子台取付け部、パッキン嵌着筒部、１０４…制御装置、１０４ａ…回路基板、１０６…ゴムパッキン、１０８ａ，１０８ｂ…中継コード、４０１ａ，４０１ｂ…芯線。
【図１】
0004013104.tif 000002
【図２】
0004013104.tif 000003
【図３】
0004013104.tif 000004
【図４】
0004013104.tif 000005
【図５】
0004013104.tif 000006
【図６】
0004013104.tif 000007
【図７】
0004013104.tif 000008
【図８】
0004013104.tif 000009
【図９】
0004013104.tif 000010
【図１０】
0004013104.tif 000011